【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
物品を乾燥又は接着するシステムであって、
第１の加熱空気を生成するように構成された燃焼ヒータ、
前記第１の加熱空気に作用して所望の温度の第２の加熱空気を生成する混合エレメント、
前記第２の加熱空気を受け取るフード、および
前記フードに囲まれて冷却空気を流出する有孔シリンダ
を含む、第１の空気流を生成する第１のコンポーネント群と、
第３の加熱空気を生成するように構成された少なくとも１つの加熱エレメント、および
前記少なくとも１つの加熱エレメントと流体連通して前記第３の加熱空気を前記第１の空気流へ導入させる少なくとも１つのファン
を含む、第２の空気流を生成する第２のコンポーネント群と、
を備える、システム。
【請求項２】
請求項１に記載のシステムにおいて、前記少なくとも１つの加熱エレメントに流入される空気が、周辺空気である、システム。
【請求項３】
請求項１に記載のシステムにおいて、前記少なくとも１つの加熱エレメントに流入される空気が、前記冷却空気のうちの少なくとも副次的な部分である、システム。
【請求項４】
請求項３に記載のシステムにおいて、周辺空気が、前記少なくとも１つの加熱エレメントのうちのグリコール−空気熱交換器を通過する、システム。
【請求項５】
請求項１に記載のシステムにおいて、前記少なくとも１つの加熱エレメントに流入される空気が、周辺空気と前記冷却空気のうちの少なくとも副次的な部分との組合せである、システム。
【請求項６】
請求項１に記載のシステムにおいて、さらに、
第４の加熱空気を生成するように構成された第２の燃焼ヒータ、
前記第４の加熱空気に作用して所望の温度の第５の加熱空気を生成する第２の混合エレメント、
前記第５の加熱空気を受け取る第２のフード、
および前記第２のフードに包囲されて第２の冷却空気を流出する第２の有孔シリンダを含む、第３の空気流を生成する第３のコンポーネント群、
を備える、システム。
【請求項７】
請求項６に記載のシステムにおいて、前記少なくとも１つの加熱エレメントに流入される空気が、前記冷却空気のうちの少なくとも一部と前記第２の冷却空気のうちの少なくとも一部との組合せである、システム。
【請求項８】
請求項４に記載のシステムにおいて、前記冷却空気のうちの少なくとも一部が空気−グリコール熱交換器のグリコールを加熱するように用いられて、加熱された当該グリコールが前記グリコール−空気熱交換器のコイルに供給される、システム。
【請求項９】
請求項１に記載のシステムにおいて、前記第２のコンポーネント群が、さらに、中間加熱空気を生成するグリコール−空気熱交換器、および前記中間加熱空気に作用して前記第３の加熱空気を生成する電気ヒータを含む、システム。
【請求項１０】
請求項１に記載のシステムにおいて、前記第２の加熱空気を前記第１の空気流へ導入することで、前記燃焼ヒータで担うことが必要な燃焼量を減少させる、システム。
【請求項１１】
請求項１に記載のシステムにおいて、前記燃焼ヒータが、前記第３の加熱空気と前記冷却空気のうちの少なくとも一部とに作用して前記第１の加熱空気を生成する、システム。
【請求項１２】
請求項１に記載のシステムにおいて、前記混合エレメントが、前記第１の加熱空気と前記第３の加熱空気とに作用して前記所望の温度の前記第２の加熱空気を生成する、システム。
【請求項１３】
物品を乾燥又は接着する方法であって、
スルーエア乾燥機（through air dryer: ＴＡＤ）のフードに、有孔シリンダ上の物品を乾燥させるための加熱空気を送り込む工程であって、ここで前記加熱空気は、前記物品および前記有孔シリンダを通過する過程で冷却空気となる空気である、工程と、
少なくとも第１の加熱エレメントを用いて第１の空気を加熱することにより、第１の加熱空気を生成する工程と、
前記第１の加熱空気と、前記有孔シリンダから排出された前記冷却空気の少なくとも第１の部分と、を組合せて混合空気を生成する工程と、
少なくとも第２の加熱エレメントを用いて前記混合空気を加熱し、第２の加熱空気を生成する工程と、そして
前記第２の加熱空気を混合して前記加熱空気を生成する工程と
を備える、方法。
【請求項１４】
請求項１３に記載の方法において、さらに、
前記少なくとも第１の加熱エレメントを用いて周辺空気を加熱することによって前記第１の空気を生成する工程
を備える、方法。
【請求項１５】
請求項１３に記載の方法において、さらに、
前記冷却空気のうちの少なくとも第２の部分を前記少なくとも第１の加熱エレメントに流入させる工程
を備える、方法。
【請求項１６】
請求項１３に記載の方法において、さらに、
周辺空気を、グリコール−空気熱交換器に通過させることにより、前記第１の加熱空気を生成する工程
を備える、方法。
【請求項１７】
請求項１３に記載の方法において、さらに、
周辺空気と前記冷却空気のうちの少なくとも第２の部分との組合せを前記少なくとも第１の加熱エレメントに流入させることにより、前記第１の加熱空気を生成する工程
を備える、方法。
【請求項１８】
請求項１３に記載の方法において、さらに、
第２の冷却空気を生成する工程と、
少なくとも第３の加熱エレメントを用いて第３の加熱空気を生成する工程と、
前記第３の加熱空気を混合して所望の温度の第４の加熱空気を生産する工程と、そして、
前記第４の加熱空気を第２の物品に晒して前記第２の冷却空気を生成する工程と
を備える、方法。
【請求項１９】
請求項１８に記載の方法において、さらに、
前記冷却空気のうちの第２の部分と前記第２の冷却空気のうちの少なくとも一部との組合せを、前記少なくとも第１の加熱エレメントに流入させる工程
を備える、方法。
【請求項２０】
請求項１６に記載の方法において、さらに、
前記冷却空気のうちの第２の部分を用いて、空気−グリコール熱交換器のグリコールを加熱する工程と、
加熱された前記グリコールを前記グリコール−空気熱交換器のコイルに供給する工程と
を備える、方法。
【請求項２１】
請求項１３に記載の方法において、さらに、
周辺空気をグリコール−空気熱交換器に通過させて中間加熱空気を生成する工程と、
前記中間加熱空気を電気ヒータに通過させて前記第１の加熱空気を生成する工程と
を備える、方法。
【請求項２２】
請求項１３に記載の方法において、少なくとも前記冷却空気の第１の部分と、前記第１の加熱空気とを組合せることで、前記少なくとも第２の加熱エレメントで担うことが必要な燃焼量を減少させる、方法。
【手続補正２】
【補正対象書類名】明細書
【補正対象項目名】００４８
【補正方法】変更
【補正の内容】
【００４８】
本開示について具体的な実施形態を用いて詳細に説明したが、これまでの説明を考慮すれば、数多くの代替案、変更及び変形が当業者にとって明白であることは明らかである。したがって、添付の特許請求の範囲には、このような全ての代替案、変更及び変形が本開示の真正な精神及び範囲内のものとして包含されていると考えられたい。
なお、本発明は実施の態様として以下の内容を含む。
［態様１］
物品を乾燥又は接着するシステムであって、
第１の加熱空気を生成するように構成された燃焼ヒータ、
前記第１の加熱空気に作用して所望の温度の第２の加熱空気を生成する混合エレメント、
前記第２の加熱空気を受け取るフード、および
前記フードに囲まれて冷却空気を流出する有孔シリンダ
を含む、第１の空気流を生成する第１のコンポーネント群と、
第３の加熱空気を生成するように構成された少なくとも１つの加熱エレメント、および
前記少なくとも１つの加熱エレメントと流体連通して前記第３の加熱空気を前記第１の空気流へ導入させる少なくとも１つのファン
を含む、第２の空気流を生成する第２のコンポーネント群と、
を備える、システム。
［態様２］
態様１に記載のシステムにおいて、前記少なくとも１つの加熱エレメントに流入される空気が、周辺空気である、システム。
［態様３］
態様１に記載のシステムにおいて、前記少なくとも１つの加熱エレメントに流入される空気が、前記冷却空気のうちの少なくとも副次的な部分である、システム。
［態様４］
態様３に記載のシステムにおいて、周辺空気が、前記少なくとも１つの加熱エレメントのうちのグリコール−空気熱交換器を通過する、システム。
［態様５］
態様１に記載のシステムにおいて、前記少なくとも１つの加熱エレメントに流入される空気が、周辺空気と前記冷却空気のうちの少なくとも副次的な部分との組合せである、システム。
［態様６］
態様１に記載のシステムにおいて、さらに、
第４の加熱空気を生成するように構成された第２の燃焼ヒータ、前記第４の加熱空気に作用して所望の温度の第５の加熱空気を生成する第２の混合エレメント、前記第５の加熱空気を受け取る第２のフード、および前記第２のフードに包囲されて第２の冷却空気を流出する第２の有孔シリンダを含む、第３の空気流を生成する第３のコンポーネント群、
を備える、システム。
［態様７］
態様６に記載のシステムにおいて、前記少なくとも１つの加熱エレメントに流入される空気が、前記冷却空気のうちの少なくとも一部と前記第２の冷却空気のうちの少なくとも一部との組合せである、システム。
［態様８］
態様４に記載のシステムにおいて、前記冷却空気のうちの少なくとも一部が空気−グリコール熱交換器のグリコールを加熱するように用いられて、加熱された当該グリコールが前記グリコール−空気熱交換器のコイルに供給される、システム。
［態様９］
態様１に記載のシステムにおいて、前記第２のコンポーネント群が、さらに、中間加熱空気を生成するグリコール−空気熱交換器、および前記中間加熱空気に作用して前記第３の加熱空気を生成する電気ヒータを含む、システム。
［態様１０］
態様１に記載のシステムにおいて、前記第２の加熱空気を前記第１の空気流へ導入することで、前記燃焼ヒータで担うことが必要な燃焼量を減少させる、システム。
［態様１１］
態様１に記載のシステムにおいて、前記燃焼ヒータが、前記第３の加熱空気と前記冷却空気のうちの少なくとも一部とに作用して前記第１の加熱空気を生成する、システム。
［態様１２］
態様１に記載のシステムにおいて、前記混合エレメントが、前記第１の加熱空気と前記第３の加熱空気とに作用して前記所望の温度の前記第２の加熱空気を生成する、システム。
［態様１３］
物品を乾燥又は接着する方法であって、
冷却空気を生成し、少なくとも第１の加熱エレメントを用いて第１の加熱空気を生成し、前記第１の加熱空気を混合して所望の温度の第２の加熱空気を生成し、前記第２の加熱空気を前記物品に曝露させて前記冷却空気を生成することにより、第１の空気流を生成する工程と、
少なくとも第２の加熱エレメントを用いて第３の加熱空気を生成し、前記第３の加熱空気を前記第１の空気流へ導入することにより、第２の空気流を生成する工程と、
を備える、方法。
［態様１４］
態様１３に記載の方法において、さらに、
周辺空気を前記少なくとも第２の加熱エレメントに流入させる工程、
を備える、方法。
［態様１５］
請求項１３に記載の方法において、さらに、
前記冷却空気のうちの少なくとも一部を前記少なくとも第２の加熱エレメントに流入させる工程、
を備える、方法。
［態様１６］
態様１３に記載の方法において、さらに、
周辺空気を、前記少なくとも第２の加熱エレメントに含まれるグリコール−空気熱交換器に通過させて、第４の加熱空気を生成する工程、
を備える、方法。
［態様１７］
態様１３に記載の方法において、さらに、
周辺空気と前記冷却空気のうちの少なくとも一部との組合せを前記少なくとも第２の加熱エレメントに流入させる工程、
を備える、方法。
［態様１８］
態様１３に記載の方法において、さらに、
第２の冷却空気を生成し、少なくとも第３の加熱エレメントを用いて第４の加熱空気を生成し、前記第４の加熱空気を混合して所望の温度の第５の加熱空気を生成し、前記第５の加熱空気を第２の物品に曝露させて前記第２の冷却空気を生成することにより、第３の空気流を生成する工程、
を備える、方法。
［態様１９］
態様１８に記載の方法において、さらに、
前記冷却空気のうちの少なくとも一部と前記第２の冷却空気のうちの少なくとも一部との組合せを、前記少なくとも第２の加熱エレメントに流入させる工程、
を備える、方法。
［態様２０］
態様１６に記載の方法において、さらに、
前記冷却空気のうちの少なくとも一部を用いて、空気−グリコール熱交換器のグリコー
ルを加熱する工程と、
加熱された前記グリコールを前記グリコール−空気熱交換器のコイルに供給する工程と、
を備える、方法。
［態様２１］
態様１３に記載の方法において、さらに、
周辺空気をグリコール−空気熱交換器に通過させて中間加熱空気を生成する工程と、
前記中間加熱空気を電気ヒータに通過させて前記第３の加熱空気を生成する工程と
を備える、方法。
［態様２２］
態様１３に記載の方法において、前記第３の加熱空気を前記第１の空気流へ導入することで、前記少なくとも第１の加熱エレメントで担うことが必要な燃焼量を減少させる、方法。
［態様２３］
態様１３に記載の方法において、さらに、
前記第３の加熱空気と前記冷却空気のうちの少なくとも一部とを組み合わせて混合空気を生成する工程と、
前記混合空気を前記少なくとも第１の加熱エレメントへ流入させる工程と
を備える、方法。
［態様２４］
態様１３に記載の方法において、さらに、
前記第１の加熱空気と前記第３の加熱空気とを混合して前記所望の温度の前記第２の加熱空気を生成する工程、
を備える、方法。